(57)【要約】【課題】調理麺とスープと具材が分離した状態で詰め込まれ、電子レンジ加熱に適した構成の調理麺容器を提案すること。【解決手段】調理麺容器１は、調理麺Ａを詰めるための紙製のカップ２と、加熱により溶解可能なスープＢを入れておくためのスープ収納皿４と、具材Ｃを入れておくための具材収納皿６と、容器蓋８とを有している。カップ２には着脱可能な状態でスープ収納皿４がはめ込まれ、スープ収納皿４には具材収納皿６が載っており、この状態で上側から容器蓋８が被せられている。スープ収納皿４には加熱により溶け出したスープＢを下側のカップ内部に落下させるためのスープ落下用の切り込み４１１が形成されており、カップ２およびスープ収納皿４の間には突出部分４３６、４３７によって蒸気抜きが形成されており、容器蓋８にも蒸気抜き部８１１が形成されている。吹き零れなく電子レンジなどにより調理麺を加熱でき、加熱によって自動的にスープが液化して調理麺に加えられた状態が形成される。【選択図】　　　図４
2004131147.tif 000002
【特許請求の範囲】
【請求項１】
調理麺を詰めるためのカップと、
加熱により溶解可能なスープを入れておくためのスープ収納皿と、
具材を入れておくための具材収納皿と、
容器蓋とを有し、
前記カップの開口部に着脱可能な状態で前記スープ収納皿がはめ込まれて当該カップの開口部が封鎖され、
前記スープ収納皿の開口部に載せた前記具材収納皿によって、当該スープ収納皿の開口部が封鎖され、
前記具材収納皿の開口部に載せた前記容器蓋が、前記スープ収納皿の開口部外周縁部分に着脱可能な状態ではめ込まれて、当該具材収納皿の開口部が封鎖されていることを特徴とする調理麺容器。
【請求項２】
請求項１において、
前記スープ収納皿には、当該スープ収納皿内において溶け出したスープを下側のカップ内部に落下させるためのスープ落下用の開口が形成されていることを特徴とする調理麺容器。
【請求項３】
請求項１または２において、
前記カップおよび前記スープ収納皿の間には当該カップ内部から外部に連通した蒸気抜きが形成されていることを特徴とする調理麺容器。
【請求項４】
請求項１ないし３のうちのいずれかの項において、
前記具材収納皿と前記容器蓋の間には当該具材収納皿内部から外部に連通した蒸気抜きが形成されていることを特徴とする調理麺容器。
【請求項５】
請求項１ないし４のうちのいずれかの項において、
前記カップは、円形底面部と、上側に向けて広がっている円錐台状の胴部と、この胴部の上端縁を規定している外周側に凸状となった円環状リブとを備えており、
前記スープ収納皿は、円形底面部と、上側に向けて広がっている円錐台状胴部と、この円錐台状胴部の上端縁から外側に折り曲げられて下方に延びている円環状フランジとを備えており、
前記具材収納皿は、円形底面部と、上側に広がっている円錐台状胴部と、この円錐台状胴部の上端縁から外側に折り曲げられて下方に延びている円環状フランジとを備えており、
前記容器蓋は、円盤状の蓋本体部分と、この外周縁から下側に延びている円環状フランジとを備えており、
前記スープ収納皿の前記円錐台状胴部の上端部分と、当該スープ収納皿の前記円環状フランジとの間に、前記カップの前記胴部の前記円環状リブが下側から着脱可能な状態ではめ込まれており、
前記容器蓋の前記円環状フランジの内周面部分が、前記スープ収納皿の前記円環状フランジにおける外周面部分に対して着脱可能な状態ではめ込まれていることを特徴とする調理麺容器。
【請求項６】
請求項５において、
前記スープ収納皿の前記円錐台状胴部は、胴部本体部分と、この胴部本体部分の上端縁から外方に広がっている円環状段面部分と、この円環状段面部分の外周縁から上方に延びている円環状部分とを備えており、
前記スープ収納皿の前記円環状フランジは、前記円環状部分の上端外周縁から外方に広がっている円環状上端面部分と、この円環状上端面部分の外周縁から下方に延びている上側円環状部分と、この上側円環状部分の下端縁から外方に広がっている外側円環状段面部分と、この外側円環状段面部分の外周縁から下方に延びている下側円環状部分とを備え、前記円環状上端面部分の上端部分には外方に突出した円環状リブが形成されており、
前記下側円環状部分の内周面における上下方向の中程の部位には、円周方向に向けて所定角度間隔で内側に突出した内側凸部が形成されており、
前記カップに前記スープ収納皿がはめ込まれた状態においては、前記カップの前記円環状リブが、前記内側凸部を乗り越えて、前記外側円環状段面部分に当接する位置まで差し込まれて、前記下側円環状部分の内周面に密接した状態になることを特徴とする調理麺容器。
【請求項７】
請求項６において、
前記スープ収納皿の前記外側円環状段面部分から前記下側円環状部分に亘り、外側に突出した突出部分が形成されており、
前記カップに前記スープ収納皿がはめ込まれた状態においては、当該突出部分が前記カップの前記円環状リブから僅かに浮き上がり、蒸気抜き部分が形成されることを特徴とする調理麺容器。
【請求項８】
請求項７において、
前記具材収納皿の前記円環状フランジは、円環状上面部分と、この外周縁から下方に延びている円環状部分と、この円環状部分の下端縁から外方に広がっている外周縁部分とを備え、前記円環状部分の下端縁からは、円周方向に向けて所定の角度間隔で下方に突出している位置決め用突起が形成されており、
当該具材収納皿を前記スープ収納皿の上に被せると、各位置決め用突起が前記スープ収納皿の円錐台状胴部の内周面に当たって当該具材収納皿が位置決めされ、当該具材収納皿の前記外周縁部分が、前記スープ収納皿における前記円環状上端面部分の上に載った状態が形成されることを特徴とする調理麺容器。
【請求項９】
請求項８において、
前記具材収納皿の前記円環状部分には、円周方向に向けて所定の間隔で凹部が形成されており、
当該具材収納皿の上に前記容器蓋を被せた状態において、当該凹部によって、当該具材収納皿と前記容器蓋の間に蒸気抜き部分が形成されることを特徴とする調理麺容器。
【請求項１０】
請求項９において、
前記容器蓋の前記円環状フランジは、前記具材収納皿の前記円環状部分に外側から対峙する上側外周面部分と、前記具材収納皿の前記外周縁部分を前記スープ収納皿の円環状上端面部分との間で上下から挟み込む円環状段面部分と、前記スープ収納皿の前記上側円環状部分に外側から対峙する下側外周面部分とを備えており、
当該容器蓋の前記下側外周面部分の内周面には、円周方向に向けて所定の間隔で、内側に突出した内側凸部が形成されており、
前記スープ収納皿の前記上側円環状部分における上下方向の中ほどの位置の外周面には円環状凹部が形成されており、
前記容器蓋の前記円環状フランジの前記内側凸部が前記スープ収納皿の前記円環状凹部にはまり込むことを特徴とする調理麺容器。
【請求項１１】
請求項１０において、
前記スープ収納皿の円形底面部分には、加熱により溶けたスープが下側の調理麺が収納されている部分に落下可能な前記スープ落下用の切り込みが形成されていることを特徴とする調理麺容器。
【請求項１２】
請求項１１において、
前記容器蓋の前記蓋本体部分には、当該蓋本体部分の一部を切断することにより蒸気抜き部が形成されていることを特徴とする調理麺容器。
【請求項１３】
請求項１２において、
前記容器蓋の前記下側外周面部分の一部が外側に突出して、当該容器蓋を取り外すために用いる取っ手部分が形成されていることを特徴とする調理麺容器。
【請求項１４】
請求項１ないし１３のうちのいずれかの項において、
前記カップは紙製であることを特徴とする調理麺容器。
【請求項１５】
請求項１４において、
前記カップの前記胴部の外周面は凹凸面とされていることを特徴とする調理麺容器。
【請求項１６】
請求項１ないし１５に記載の調理麺容器を用いたカップ調理麺であって、
前記カップに詰められた調理麺と、
前記スープ収納皿に収納された加熱により溶融するスープと、
前記具材収納皿に収納された具材と、
を有していることを特徴とするカップ調理麺。
【発明の詳細な説明】
【０００１】
【発明の属する技術分野】
本発明は、調理麺をスープおよび具材と共に収納されたカップラーメンなどの容器として用いるのに適した調理麺容器に関するものである。
【０００２】
【従来の技術】
コンビニエンスストアなどの店頭においては各種のカップ麺が販売されており、それらは、一般に、カップ状の容器内に乾麺や袋詰めされた生麺などの調理麺が収納され、その上に具材およびスープがそれぞれ同じくパック詰めされた状態で収納された構成となっている。
【０００３】
【発明が解決しようとする課題】
本発明の課題は、電子レンジなどで加熱して食するのに便利な構造を備えた調理麺容器を提案することにある。
【０００４】
【課題を解決するための手段】
上記課題を解決するために、本発明の調理麺容器は、
調理麺を詰めるためのカップと、
加熱により溶解可能なスープを入れておくためのスープ収納皿と、
具材を入れておくための具材収納皿と、
容器蓋とを有し、
前記カップの開口部に着脱可能な状態で前記スープ収納皿がはめ込まれて当該カップの開口部が封鎖され、
前記スープ収納皿の開口部に載せた前記具材収納皿によって、当該スープ収納皿の開口部が封鎖され、
前記具材収納皿の開口部に載せた前記容器蓋が、前記スープ収納皿の開口部外周縁部分に着脱可能な状態ではめ込まれて、当該具材収納皿の開口部が封鎖されていることを特徴としている。
【０００５】
ここで、前記スープ収納皿には、当該スープ収納皿内において溶け出したスープを下側のカップ内部に落下させるためのスープ落下用の開口が形成されている。
【０００６】
また、前記カップおよび前記スープ収納皿の間には当該カップ内部から外部に連通した蒸気抜きが形成されている。
【０００７】
さらには、前記具材収納皿と前記容器蓋の間には当該具材収納皿内部から外部に連通した蒸気抜きが形成されている。
【０００８】
この構成の調理麺容器においては、調理麺と具材およびスープを分けて収納してあるので、麺質の劣化を防止できる。また、スープは固形状態ではスープ収納皿に収納されているが、電子レンジなどによって加熱すると溶け出して、スープ落下用の開口から調理麺の側に落下する。さらに、具材を分けてあるので、電子レンジなどにより調理麺および具材を均一に加熱できる。これに加えて、蒸気抜きが形成されているので、電子レンジによる加熱時などにおいて吹き零れを防止できる。
【０００９】
ここで、前記カップは、円形底面部と、上側に向けて広がっている円錐台状の胴部と、この胴部の上端縁を規定している外周側に凸状となった円環状リブとを備えた構成とすることができる。前記スープ収納皿は、円形底面部と、上側に向けて広がっている円錐台状胴部と、この円錐台状胴部の上端縁から外側に折り曲げられて下方に延びている円環状フランジとを備えた構成とすることができる。前記具材収納皿は、円形底面部と、上側に広がっている円錐台状胴部と、この円錐台状胴部の上端縁から外側に折り曲げられて下方に延びている円環状フランジとを備えた構成とすることができる。前記容器蓋は、円盤状の蓋本体部分と、この外周縁から下側に延びている円環状フランジとを備えた構成とすることができる。
【００１０】
この場合、前記スープ収納皿の前記円錐台状胴部の上端部分と、当該スープ収納皿の前記円環状フランジとの間に、前記カップの前記胴部の前記円環状リブが下側から着脱可能な状態ではめ込み、前記容器蓋の前記円環状フランジの内周面部分を、前記スープ収納皿の前記円環状フランジにおける外周面部分に対して着脱可能な状態ではめ込む構成を採用できる。
【００１１】
また、前記スープ収納皿の前記円錐台状胴部は、胴部本体部分と、この胴部本体部分の上端縁から外方に広がっている円環状段面部分と、この円環状段面部分の外周縁から上方に延びている円環状部分とを備えた構成とすることができる。この場合、前記スープ収納皿の前記円環状フランジは、前記円環状部分の上端外周縁から外方に広がっている円環状上端面部分と、この円環状上端面部分の外周縁から下方に延びている上側円環状部分と、この上側円環状部分の下端縁から外方に広がっている外側円環状段面部分と、この外側円環状段面部分の外周縁から下方に延びている下側円環状部分とを備え、前記円環状上端面部分の上端部分には外方に突出した円環状リブが形成された構成とすることができる。また、前記下側円環状部分の内周面における上下方向の中程の部位には、円周方向に向けて所定角度間隔で内側に突出した内側凸部を形成しておき、前記カップに前記スープ収納皿がはめ込まれた状態においては、前記カップの前記円環状リブが、前記内側凸部を乗り越えて、前記外側円環状段面部分に当接する位置まで差し込まれて、前記下側円環状部分の内周面に密接した状態になるように構成することができる。
【００１２】
次に、前記スープ収納皿の前記外側円環状段面部分から前記下側円環状部分に亘り、外側に突出した突出部分を形成しておき、前記カップに前記スープ収納皿がはめ込まれた状態においては、当該突出部分が前記カップの前記円環状リブから僅かに浮き上がり、蒸気抜き部分が形成される構成とすることができる。
【００１３】
また、前記具材収納皿の前記円環状フランジは、円環状上面部分と、この外周縁から下方に延びている円環状部分と、この円環状部分の下端縁から外方に広がっている外周縁部分とを備え、前記円環状部分の下端縁からは、円周方向に向けて所定の角度間隔で下方に突出している位置決め用突起が形成された構成とすることができる。この場合には、当該具材収納皿を前記スープ収納皿の上に被せると、各位置決め用突起が前記スープ収納皿の円錐台状胴部の内周面に当たって当該具材収納皿が位置決めされ、当該具材収納皿の前記外周縁部分が、前記スープ収納皿における前記円環状上端面部分の上に載った状態が形成される。
【００１４】
さらに、前記具材収納皿の前記円環状部分には、円周方向に向けて所定の間隔で凹部を形成しておき、当該具材収納皿の上に前記容器蓋を被せた状態において、当該凹部によって、当該具材収納皿と前記容器蓋の間に蒸気抜き部分を形成することができる。
【００１５】
また、前記容器蓋の前記円環状フランジは、前記具材収納皿の前記円環状部分に外側から対峙する上側外周面部分と、前記具材収納皿の前記外周縁部分を前記スープ収納皿の円環状上端面部分との間で上下から挟み込む円環状段面部分と、前記スープ収納皿の前記上側円環状部分に外側から対峙する下側外周面部分とを備えた構成とすることができる。
【００１６】
この場合、当該容器蓋の前記下側外周面部分の内周面に、円周方向に向けて所定の間隔で、内側に突出した内側凸部を形成しておき、前記スープ収納皿の上側円環状部分の上下方向の中ほどの位置の外周面には円環状凹部を形成しておけば、前記容器蓋の前記内側凸部が前記スープ収納皿の前記円環状凹部にはめ込むようにすればよい。
【００１７】
次に、前記スープ収納皿の円形底面部分に、加熱により溶けたスープが下側の調理麺が収納されている部分に落下可能な前記スープ落下用の切り込みを形成すればよい。
【００１８】
また、前記容器蓋の前記蓋本体部分には、当該蓋本体部分の一部を切断することにより蒸気抜き部を形成することができる。
【００１９】
一方、前記容器蓋の前記下側外周面部分の下端縁の一部を外側に突出させ、当該容器蓋を取り外すために用いる取っ手部分としておくと便利である。
【００２０】
ここで、前記カップは紙製とすることができる。この場合、肌触りや風合いを改善するためには、前記カップの前記胴部の外周面を凹凸面としておくことが望ましい。
【００２１】
次に、本発明は、上記構成の調理麺容器を用いたカップ調理麺であって、
前記カップに詰められた調理麺と、
前記スープ収納皿に収納された加熱により溶融するスープと、
前記具材収納皿に収納された具材とをを有していることを特徴としている。
【００２２】
【発明の実施の形態】
以下に、図面を参照して本発明を適用した調理麺容器の実施の形態を説明する。
【００２３】
図１は本発明を適用した調理麺容器を示す斜視図であり、図２はその分解斜視図であり、図３は図１の調理麺容器を下側から見た場合の分解斜視図である。また、図４は調理麺容器の断面図である。
【００２４】
これらの図を参照して説明すると、本実施の形態に係る調理麺容器１は、調理麺を詰めるためのカップ２と、加熱により溶解可能なスープを入れておくためのスープ収納皿４と、具材を入れておくための具材収納皿６と、容器蓋８とを有している。
【００２５】
カップ２の開口部には着脱可能な状態でスープ収納皿４がはめ込まれて当該カップ２の開口部が封鎖可能であり、スープ収納皿４の開口部に載せた具材収納皿６によって、当該スープ収納皿４の開口部が封鎖される。また、具材収納皿６の開口部に載せた容器蓋８が、スープ収納皿４の開口部外周縁部分に着脱可能な状態ではめ込まれて、当該具材収納皿６の開口部が封鎖された状態が形成される。
【００２６】
本実施の形態の調理麺容器１においては、そのスープ収納皿４には、当該スープ収納皿４内において溶け出したスープを下側のカップ内部に落下させるためのスープ落下用の開口（切り込み）が後述のように形成されている。また、カップ２およびスープ収納皿４の間には後述のように当該カップ２内部から外部に連通した蒸気抜きが形成されている。さらに、具材収納皿６と容器蓋８の間にも後述のように当該具材収納皿内部から外部に連通した蒸気抜きが形成されている。
【００２７】
調理麺容器１のカップ２は紙製であり、円形底面部２１と、上側に向けて広がっている円錐台状の胴部２２と、この胴部２２の上端縁を規定している外周側に凸状となった円環状リブ２３とを備えている。胴部２２の外周面は細かな凹凸面とされており、良好な肌触りおよび風合いが付与されている。スープ収納皿４はプラスチック製であり、円形底面部４１と、上側に向けて広がっている円錐台状胴部４２と、この円錐台状胴部４２の上端縁から外側に折り曲げられて下方に延びている円環状フランジ４３とを備えている。具材収納皿６はプラスチック製であり、円形底面部６１と、上側に広がっている円錐台状胴部６２と、この円錐台状胴部６２の上端縁から外側に折り曲げられて下方に延びている円環状フランジ６３とを備えている。容器蓋８もプラスチック製であり、円盤状の蓋本体部分８１と、この外周縁から下側に延びている円環状フランジ８２とを備えいる。
【００２８】
スープ収納皿４の円錐台状胴部４２の上端部分と円環状フランジ４３との間に、カップ２の胴部２２の円環状リブ２３が下側から着脱可能な状態ではめ込み可能となっている。また、容器蓋８の円環状フランジ８２の内周面部分が、スープ収納皿４の円環状フランジ４３における外周面部分に対して着脱可能な状態ではめ込み可能となっている。
【００２９】
さらに詳しく説明すると、スープ収納皿４の円錐台状胴部４２は、胴部本体部分４２１と、この胴部本体部分４２１の上端縁から外方に広がっている円環状段面部分４２２と、この円環状段面部分４２２の外周縁から上方に延びている円環状部分４２３とを備えている。胴部本体部分４２１の上端部分には外方に突出したリブ４２５が形成されている。円環状フランジ４３は、円環状部分４２３の上端外周縁から外方に広がっている円環状上端面部分４３１と、この円環状上端面部分４３１の外周縁から下方に延びている上側円環状部分４３２と、この上側円環状部分４３２の下端縁から外方に広がっている外側円環状段面部分４３３と、この外側円環状段面部分４３３の外周縁から下方に延びている下側円環状部分４３４とを備えている。また、下側円環状部分４３４の内周面における上下方向の中程の部位には、円周方向に向けて所定角度間隔で内側に突出した内側凸部４３８が形成されている。
【００３０】
カップ２にスープ収納皿４がはめ込まれた状態においては、カップ２の円環状リブ２３が、内側凸部４３８を乗り越えて、外側円環状段面部分４３３に当接する位置まで差し込まれて、下側円環状部分４３４の内周面に密接した状態になる。
【００３１】
ここで、スープ収納皿４の外側円環状段面部分４３３から下側円環状部分４３４に亘り、外側に突出した長い突出部分４３６および短い突出部分４３７が形成されている。カップ２にスープ収納皿４がはめ込まれた状態においては、当該突出部分４３６、４３７がカップ２の円環状リブ２３から僅かに浮き上がり、蒸気抜き部分が形成される。
【００３２】
次に、具材収納皿６の円環状フランジ６３は、円環状上面部分６３１と、この外周縁から下方に延びている円環状部分６３２と、この円環状部分６３２の下端縁から外方に広がっている外周縁部分６３３とを備え、円環状部分６３２の下端縁からは、円周方向に向けて所定の角度間隔で下方に突出している位置決め用突起６３４が形成されている。
【００３３】
具材収納皿６をスープ収納皿４の上に被せると、各位置決め用突起６３４がスープ収納皿４の円錐台状胴部４２の内周面に当たって当該具材収納皿６が位置決めされる。また、具材収納皿６の外周縁部分６３３が、スープ収納皿４における円環状上端面部分４３１の上に載った状態が形成される。
【００３４】
ここで、具材収納皿６の円環状部分６３２には、円周方向に向けて所定の間隔で凹部６３５が形成されている。具材収納皿６の上に容器蓋８を被せた状態において、当該凹部６３５によって、具材収納皿６と容器蓋８の間に蒸気抜き部分が形成される。
【００３５】
また、容器蓋８の円環状フランジ８２は、具材収納皿６の円環状部分６３２に外側から対峙する上側外周面部分８２１と、具材収納皿６の外周縁部分６３３をスープ収納皿４の円環状上端面部分４３１との間で上下から挟み込む円環状段面部分８２２と、スープ収納皿４の上側円環状部分４３２に外側から対峙する下側外周面部分８２３とを備えている。
【００３６】
また、容器蓋８の下側外周面部分８２３の内周面には、円周方向に向けて所定の間隔で、内側に突出した内側凸部８２４が形成されている。スープ収納皿４の上側円環状部分４３２の上側部分の外周面には円環状凹部４３９が形成されている。従って、容器蓋８の円環状フランジ８２は、その内側凸部８２４がスープ収納皿４の円環状凹部４３９にはまり込んだ状態で、当該スープ収納皿４の上側円環状部分４３２に着脱可能な状態で固定される。
【００３７】
次に、スープ収納皿４の円形底面部分４１には、加熱により溶けたスープが下側の調理麺が収納されている部分に落下可能な前記スープ落下用の切り込み４１１が形成されている。また、容器蓋８の蓋本体部分８１には、当該蓋本体部分８１の一部を切断することにより蒸気抜き部８１１が形成されている。
【００３８】
なお、容器蓋８の下側外周面部分８２３の下端縁の一部が外側に突出して、当該容器蓋８を取り外すために用いる取っ手部分８２５が形成されている。
【００３９】
このように構成した調理麺容器１を用いたカップ調理麺は、図４に示すように、カップ２に調理麺Ａが収納され、スープ収納皿４にはゼラチン状の固形スープＢが収納され、上側の具材収納皿６には具材Ｃが収納される。
【００４０】
電子レンジなどで加熱すると、それぞれが別個に収納されているので、調理麺Ａ、スープＢおよび具材Ｃが均一にむらなく加熱できる。スープ収納皿４に収納されている固形スープＢが溶け出して液化すると、切り欠き４１１から調理麺Ａの上に落下する。また、容器蓋８には蒸気抜き部８１１が形成されており、カップ２とスープ収納皿４の間にも突出部分４３６、４３７によって蒸気抜きが形成されている。また、具材収納皿６と容器蓋８の間にも凹部６３５によって蒸気抜きが形成されている。従って、加熱時に過加熱による吹き零れなどを防止できる。
【００４１】
【発明の効果】
以上説明したように、本発明の調理麺容器では、調理麺とスープと具材をそれぞれ分離した状態で詰め込んである。よって、スープによって麺質が劣化することがなく、また、電子レンジなどで調理麺をむらなく温めることができる。
【００４２】
また、各部分に蒸気抜きが形成されているので、電子レンジなどによって過熱した場合においても吹き零れの発生を防止できる。
【００４３】
さらに、スープはゼラチン状のものであり、常温では固体形状をしているが、加熱すると液状になる。液状化したスープはスープ収納皿の底に形成されている切り欠きなどの開口から温められた調理麺に落下することになる。よって、自動的にスープが調理麺に加えられた状態になるので便利である。
【００４４】
さらにまた、カップが紙製であり外周面が細かな凹凸面とされているので、従来におけるプラスチック製の容器とは異なり、肌触りや風合いが良いという利点もある。
【図面の簡単な説明】
【図１】本発明を適用した調理麺容器の斜視図である。
【図２】図１の調理麺容器の分解斜視図である。
【図３】図１の調理麺容器を下側から見た状態で示す分解斜視図である。
【図４】図１の調理麺容器の断面図である。
【符号の説明】
１　　調理麺容器
２　　カップ
２１　円形底面部
２２　胴部
２３　円環状リブ
４　　スープ収納皿
４１　円形底面部
４１１　切り欠き
４２　胴部
４２１　胴部本体部分
４２２　円環状段面部分
４２３　円環状部分
４３　円環状フランジ
４３１　円環状上端面部分
４３２　上側円環状部分
４３３　外側円環状段面部分
４３４　下側円環状部分
４３６、４３７　突出部分
４３８　内側凸部
４３９　円環状凹部
６　　具材収納皿
６１　円形底面部
６２　胴部
６３　円環状フランジ
６３１　円環状上面部分
６３２　円環状部分
６３３　外周縁部分
６３４　位置決め用突起
６３５　凹部
８　　容器蓋
８１　蓋本体部分
８１１　蒸気抜き部
８２　円環状フランジ
８２１　上側外周面部分
８２２　円環状段面部分
８２３　下側外周面部分
８２４　内側凸部
８２５　取っ手部分
【図１】
2004131147.tif 000003
【図２】
2004131147.tif 000004
【図３】
2004131147.tif 000005
【図４】
2004131147.tif 000006